(57)【要約】【課題】  非接触データキャリア部材を被搭載体に簡易且つ迅速に取り付ける。【解決手段】  所定ピッチで並んだ非接触データキャリア部材（２）を搬送路上で搬送し、所定ピッチで並んだ被搭載体（１）を上記非接触データキャリア部材（２）とタイミングが合うように他の搬送路上で搬送し、前者の搬送路上の非接触データキャリア部材（２）を後者の搬送路上の被搭載体（１）に付着させると同時に電気的に導通させる。【選択図】  図４
2006039659.tif 000002
【特許請求の範囲】
【請求項１】
所定ピッチで並んだ非接触データキャリア部材を搬送路上で搬送し、所定ピッチで並んだ被搭載体を上記非接触データキャリア部材とタイミングが合うように他の搬送路上で搬送し、前者の搬送路上の非接触データキャリア部材を後者の搬送路上の被搭載体に付着させると同時に電気的に導通させることを特徴とする非接触データキャリア部材取付方法。
【請求項２】
請求項１に記載の非接触データキャリア部材取付方法において、非接触データキャリア部材と被搭載体とを相互に同一のピッチで搬送することを特徴とする非接触データキャリア部材取付方法。
【請求項３】
請求項１に記載の非接触データキャリア部材取付方法において、非接触データキャリア部材と被搭載体とを一方のピッチが他方のピッチの整数倍となる関係で搬送し、小ピッチ用の搬送路に沿って大ピッチ用の搬送路を上記整数と同数個配置し、全搬送路において非接触データキャリア部材と被搭載体をそれぞれ同速度で搬送することを特徴とする非接触データキャリア部材取付方法。
【請求項４】
請求項１乃至請求項３のいずれかに記載の非接触データキャリア部材取付方法において、非接触データキャリア部材と被搭載体がそれぞれ所定ピッチで形成された連続状基材を各搬送路で搬送することを特徴とする非接触データキャリア部材取付方法。
【請求項５】
請求項１乃至請求項４のいずれかに記載の非接触データキャリア部材取付方法において、非接触データキャリア部材と被搭載体との間に絶縁基材を供給することを特徴とする非接触データキャリア部材取付方法。
【請求項６】
所定ピッチで並んだ非接触データキャリア部材を搬送する搬送手段と、所定ピッチで並んだ被搭載体を上記非接触データキャリア部材とタイミングが合うように搬送する他の搬送手段と、前者の搬送手段における非接触データキャリア部材を後者の搬送手段における被搭載体に付着させると同時に非接触データキャリア部材を被搭載体に電気的に導通させる付着手段とを具備したことを特徴とする非接触データキャリア部材取付装置。
【請求項７】
請求項６に記載の非接触データキャリア部材取付装置において、互いに同一ピッチで並んだ非接触データキャリア部材と被搭載体を各搬送手段により同速度で搬送することを特徴とする非接触データキャリア部材取付装置。
【請求項８】
請求項６に記載の非接触データキャリア部材取付装置において、非接触データキャリア部材と被搭載体とを一方のピッチが他方のピッチの整数倍となる関係で搬送することとし、小ピッチの非接触データキャリア部材又は被搭載体の搬送路に沿って大ピッチの被搭載体又は非接触データキャリア部材の搬送手段を上記整数と同数個配置し、全搬送手段において非接触データキャリア部材と被搭載体をそれぞれ同速度で搬送するようにしたことを特徴とする非接触データキャリア部材取付装置。
【請求項９】
請求項６乃至請求項８のいずれかに記載の非接触データキャリア部材取付装置において、非接触データキャリア部材と被搭載体がそれぞれ所定ピッチで形成された連続状基材を各搬送手段により搬送することを特徴とする非接触データキャリア部材取付装置。
【請求項１０】
請求項６乃至請求項９のいずれかに記載の非接触データキャリア部材取付装置において、非接触データキャリア部材と被搭載体との間に絶縁基材を挿入する絶縁基材供給手段を備えたことを特徴とする非接触データキャリア部材取付装置。
【発明の詳細な説明】
【技術分野】
【０００１】
本発明は、インターポーザー等の非接触型データキャリア部材をアンテナ等他の非接触型データキャリア部材や、カード等の製品に取り付けるための方法及び装置に関する。
【背景技術】
【０００２】
図１に示すように、無線タグは、非接触型データキャリア部材であるアンテナ１上に、非接触型データキャリア部材であるインターポーザー２を備える。アンテナ１の端部１ａ，１ｂ間はインターポーザー２により電気的に連結され、インターポーザー２が取り付けられたアンテナ１は全体として樹脂フィルム等の図示しない保護層により覆われる。
【０００３】
アンテナ１は、図２に示すように、例えば、紙、樹脂等で出来たシート状の基材３の表面に所望のパターンの導電層を付着させることにより形成される。また、インターポーザー２は、図３に示すように、ＩＣチップ４の両側の図示しない電極に短冊状の導電性シート５，５をそれぞれ電気的に接続してなるもので、図１に示すように、両側の導電性シート５，５がアンテナ１の端部１ａ，１ｂに導電可能に接合される。導電性シート５，５は上記アンテナ１と同様な層構成を有し、アンテナ１の基材３よりも比較的薄い基材上に導電層が積層されることにより形成される。
【０００４】
従来、無線タグとして組み立てられる前のインターポーザー２やアンテナ１は各々の大きさに応じたピッチで別個の連続状基材に形成される。インターポーザー２をアンテナ１に接合するには、インターポーザー２の基材とアンテナ１の基材とを平行に配置し、それぞれを一ピッチずつ間欠搬送させ、一方の基材が一時停止したところで打ち抜き機により一つのインターポーザー２を打ち抜く。この打ち抜いたインターポーザー２を搬送ロボットがその吸着ヘッドで吸着して一つのアンテナ１上へと搬送し、アンテナ１の端部１ａ，１ｂ上に載せる。アンテナ１の端部１ａ，１ｂ上に載せられたインターポーザー２は超音波振動等によりアンテナ１の端部１ａ，１ｂに接着される。インターポーザー２が接着されたアンテナ１の基材は巻き取られ、その後アンテナ１のピッチごとに分断され、所望の処理が施された後無線タグとされる。
【０００５】
また、従来、打ち抜いたインターポーザー２を搬送ロボットによりアンテナ１上に搬送する方式に代え、二つの回転体を介してアンテナ１に送るようなシステムも提案されている。これは、打ち抜かれた一つのインターポーザー２を第一の回転体のホルダで受け取って第二の回転体のホルダに受け渡し、第二の回転体が受け取ったインターポーザー２をアンテナ１の上に載せるようになっている（例えば、特許文献１参照。）。
【０００６】
【特許文献１】特開２００３−２８１４９１号公報
【発明の開示】
【発明が解決しようとする課題】
【０００７】
上記前者のインターポーザーの取付方法によれば、インターポーザーの連続状基材からアンテナの連続状基材へと両連続状基材を横断する方向にインターポーザーを搬送する工程を必要とするので、それだけ製造効率が低下し、また、その工程のための搬送ロボット等を必要とするので、製造装置の構造が複雑化するという問題がある。また、後者のインターポーザーの取付方法によれば、第一と第二の回転体の媒介によりインターポーザーを搬送するので、製造効率が低下し、また、第一と第二の回転体を設け、両者をタイミングが合うように回転させなければならないので製造装置の構造が複雑化するという問題がある。
【０００８】
また、インターポーザーに限らず他の非接触型データキャリア部材をアンテナ等他の非接触型データキャリア部材や、カード等の製品に取り付ける場合においても同様な問題が生じる。
【０００９】
従って、本発明は上記問題点を解決する手段を提供することを目的とする。
【課題を解決するための手段】
【００１０】
上記課題を解決するため、請求項１に係る発明は、所定ピッチで並んだ非接触データキャリア部材（２）を搬送路上で搬送し、所定ピッチで並んだ被搭載体（１）を上記非接触データキャリア部材（２）とタイミングが合うように他の搬送路上で搬送し、前者の搬送路上の非接触データキャリア部材（２）を後者の搬送路上の被搭載体（１）に付着させると同時に電気的に導通させる非接触データキャリア部材取付方法を採用する。
【００１１】
また、請求項２に係る発明は、請求項１に記載の非接触データキャリア部材取付方法において、非接触データキャリア部材（２）と被搭載体（１）とを相互に同一のピッチで搬送することを特徴とする非接触データキャリア部材取付方法を採用する。
【００１２】
また、請求項３に係る発明は、請求項１に記載の非接触データキャリア部材取付方法において、非接触データキャリア部材（２）と被搭載体（１）とを一方のピッチが他方のピッチの整数倍となる関係で搬送し、小ピッチ用の搬送路に沿って大ピッチ用の搬送路を上記整数と同数個配置し、全搬送路において非接触データキャリア部材（２）と被搭載体（１）をそれぞれ同速度で搬送する非接触データキャリア部材取付方法を採用する。
【００１３】
また、請求項４に係る発明は、請求項１乃至請求項３のいずれかに記載の非接触データキャリア部材取付方法において、非接触データキャリア部材（２）と被搭載体（１）がそれぞれ所定ピッチで形成された連続状基材（６，１３，１１）を各搬送路で搬送する非接触データキャリア部材取付方法を採用する。
【００１４】
また、請求項５に係る発明は、請求項１乃至請求項４のいずれかに記載の非接触データキャリア部材取付方法において、非接触データキャリア部材（２）と被搭載体（１）との間に絶縁基材（１６）を供給する非接触データキャリア部材取付方法を採用する。
【００１５】
また、請求項６に係る発明は、所定ピッチで並んだ非接触データキャリア部材（２）を搬送する搬送手段と、所定ピッチで並んだ被搭載体（１）を上記非接触データキャリア部材（２）とタイミングが合うように搬送する他の搬送手段と、前者の搬送手段の非接触データキャリア部材（２）を後者の搬送手段の被搭載体（１）に付着させると同時に非接触データキャリア部材（２）を被搭載体（１）に電気的に導通させる付着手段（１０，１５）とを具備した非接触データキャリア部材取付装置を採用する。
【００１６】
また、請求項７に係る発明は、請求項６に記載の非接触データキャリア部材取付装置において、互いに同一ピッチで並んだ非接触データキャリア部材（２）と被搭載体（１）を各搬送手段により同速度で搬送する非接触データキャリア部材取付装置を採用する。
【００１７】
また、請求項８に係る発明は、請求項６に記載の非接触データキャリア部材取付装置において、非接触データキャリア部材（２）と被搭載体（１）とを一方のピッチが他方のピッチの整数倍となる関係で搬送することとし、小ピッチの非接触データキャリア部材（２）又は被搭載体（１）の搬送路に沿って大ピッチの被搭載体（１）又は非接触データキャリア部材（２）の搬送手段を上記整数と同数個配置し、全搬送手段において非接触データキャリア部材（２）と被搭載体（１）をそれぞれ同速度で搬送するようにした非接触データキャリア部材取付装置を採用する。
【００１８】
また、請求項９に係る発明は、請求項６乃至請求項８のいずれかに記載の非接触データキャリア部材取付装置において、非接触データキャリア部材（２）と被搭載体（１）がそれぞれ所定ピッチで形成された連続状基材（６，１３，１１）を各搬送手段により搬送する非接触データキャリア部材取付装置を採用する。
【００１９】
また、請求項１０に係る発明は、請求項６乃至請求項９のいずれかに記載の非接触データキャリア部材取付装置において、非接触データキャリア部材（２）と被搭載体（１）との間に絶縁基材（１６）を挿入する絶縁基材供給手段（１６ａ）を備えた非接触データキャリア部材取付装置を採用する。
【発明の効果】
【００２０】
請求項１に係る発明によれば、非接触データキャリア部材（２）を簡易且つ迅速に被搭載体（１）に取り付けることができる。
【００２１】
請求項２に係る発明によれば、非接触データキャリア部材（２）を被搭載体（１）に対し相互に同じ速度で搬送させながら正確に取り付けることができる。
【００２２】
請求項３に係る発明によれば、相互にピッチが異なる非接触データキャリア部材（２）と被搭載体（１）とを同じ速度で搬送しながら、非接触データキャリア部材（２）を被搭載体（１）に取り付けることができる。
【００２３】
請求項４に係る発明によれば、非接触データキャリア部材（２）と被搭載体（１）を連続状基材の状態で搬送することができるので、非接触データキャリア部材（２）を被搭載体（１）により正確に取り付けることができる。
【００２４】
請求項５に係る発明によれば、非接触データキャリア部材（２）と被搭載体（１）との間に絶縁基材（１６）を円滑に供給することができる。
【００２５】
請求項６に係る発明によれば、非接触データキャリア部材（２）を簡易且つ迅速に被搭載体（１）に取り付けることができる。
【００２６】
請求項７に係る発明によれば、非接触データキャリア部材（２）を被搭載体（１）に対し相互に同じ速度で搬送しながら正確に取り付けることができる。
【００２７】
請求項８に係る発明によれば、相互にピッチが異なる非接触データキャリア部材（２）と被搭載体（１）とを同じ速度で搬送しながら、非接触データキャリア部材（２）を被搭載体（１）に取り付けることができる。
【００２８】
請求項９に係る発明によれば、非接触データキャリア部材（２）と被搭載体（１）を連続状基材（６，１３，１１）の状態で搬送することができるので、非接触データキャリア部材（２）を被搭載体（１）により正確に取り付けることができる。
【００２９】
請求項１０に係る発明によれば、非接触データキャリア部材（２）と被搭載体（１）との間に絶縁基材（１６）を円滑に供給することができる。
【発明を実施するための最良の形態】
【００３０】
以下、図面を参照して本発明を実施するための最良の形態について説明する。
【００３１】
＜実施の形態１＞
図４に示すように、この非接触データキャリア部材取付装置は、所定ピッチで並んだ非接触データキャリア部材であるインターポーザー２を搬送する搬送手段と、所定ピッチで並んだ被搭載体であるアンテナ１を上記インターポーザー２とタイミングが合うように搬送する他の搬送手段と、前者の搬送手段における非接触データキャリア部材を後者の搬送手段におけるアンテナ１に付着させると同時にインターポーザー２をアンテナ１に電気的に導通させる付着手段とを具備する。
【００３２】
インターポーザー２は図３に示したものと同様であり、ＩＣチップ４の両側の図示しない電極に短冊状のフレキシブルな導電性シート５，５をそれぞれ電気的に接続してなるものである。
【００３３】
図４に示すように、インターポーザー２の導電性シート５，５の素材である連続状基材６がロール状に巻き取られた状態で取付装置内に装着される。この連続状基材６の中央には長さ方向に伸びるスリット６ａが形成され、スリット６ａを跨ぐようにＩＣチップ４が所定のピッチで取り付けられる。このピッチは後述するようにアンテナ１のピッチと同じ大きさに設定される。この連続状基材６がその繰り出しロール６ｂから繰り出され、搬送路を通過した後に巻き取りロール６ｃとして巻き取られる。巻き取りロール６ｃは図示しないモータにより矢印方向に駆動され、これにより連続状基材６が繰り出しロール６ｂから巻き取りロール６ｃへと搬送路を一定速度Ｖで搬送する。
【００３４】
上記連続状基材６の搬送路には、その上流側から下流側に向かって、打ち抜き機７、ダンサーローラ８、ガイドローラ９、付着機１０が順に配置される。
【００３５】
打ち抜き機７は、連続状基材６を上下から挟むように対向する打ち抜き刃７ａと受け台７ｂとを備える。打ち抜き刃７ａが受け台７ｂと共に連続状基材６を打ち抜くと、連続状基材６上に上記短冊状の導電性シート５，５がつなぎ部を残すように所定のピッチで打ち抜かれる。このピッチは後述するようにアンテナ１のピッチと同一である。打ち抜き機７は図示例では打ち抜き刃７ａが上下に往復動する平台式として構成されるが、打ち抜き刃をシリンダの回りに形成し、受け台もシリンダとして形成し、両シリンダ間に連続状基材６を通して打ち抜きを行うロータリー式とすることも可能である。
【００３６】
ダンサーローラ８はその軸芯に垂直な方向に揺動可能である。ダンサーローラ８は、図示しないが例えば連続状基材６に所定のピッチで形成された見当マークを読み取るセンサからの信号により揺動し、アンテナ１に対するインターポーザー２の位置調整を行う。
【００３７】
ガイドローラ９は連続状基材６の搬送を案内するもので、上記インターポーザー２の搬送路上の所定箇所に配置される。
【００３８】
付着機１０は、連続状基材６上に形成されたインターポーザー２をアンテナ１に付着させるための装置であり、これについては後述する。
【００３９】
アンテナ１は図２に示したものと同様であり、紙、合成樹脂等で出来たシート状の基材３の表面に所望のパターンの導電層を付着させてなるものである。基材３は連続状基材１１から切り出されたものであり、この連続状基材１１の上にアンテナ１が一定ピッチで形成されている。
【００４０】
図４に示すように、アンテナ１を一定ピッチで担持した連続状基材１１がロール状に巻き取られた状態で取付装置内に装着される。この連続状基材１１がその繰り出しロール１１ａから繰り出され、上記インターポーザー２の搬送路とは別の搬送路を通って巻き取りロール１１ｂとして巻き取られる。巻き取りロール１１ｂは図示しないモータにより矢印方向に駆動され、これにより連続状基材１１が繰り出しロール１１ａから巻き取りロール１１ｂへと搬送される。この搬送速度Ｖは上記インターポーザー２を担持する連続状基材６の搬送速度Ｖと等しい。
【００４１】
インターポーザー２の連続状基材６とアンテナ１の連続状基材１１の搬送は、両者に予め表示されたマーク、インターポーザー２のエッジ、アンテナ１のエッジ、アンテナ１の端部１ａ，１ｂ等を投受光器等で検出することにより制御することができる。例えば、この検出信号に基づいてダンサーローラ８を揺動させ、インターポーザー２の位置とアンテナ１の位置とを合致させることができる。
【００４２】
上記二通りの搬送路が平行に伸びる箇所すなわちインターポーザー２の連続状基材６とアンテナ１の連続状基材１１が平行に走行する箇所には、付着機１０が配置される。
【００４３】
付着機１０は、かしめ型を周面に有するかしめローラ１０ａと加圧ローラ１０ｂとを備え、両ローラ１０ａ，１０ｂ間でインターポーザー２の導電性シート５，５をアンテナ１の端部１ａ，１ｂと共にエンボス加工するようになっている。両ローラ１０ａ，１０ｂ間での加圧により、両連続状基材６，１１が嵌合し、導電性シート５，５の導電層がアンテナ１の端部１ａ，１ｂである導電層に接触し、インターポーザー２がアンテナ１に電気的に導通する。付着機としては、上記かしめ形式の装置のほか超音波接着装置等を用いることができる。この付着機１０によりインターポーザー２が取り付けられたアンテナ１は連続状基材１１と共に巻き取りロール１１ｂとして巻き取られる。
【００４４】
図４に示すように、アンテナ１を担持する連続状基材１１の上流側には必要に応じて接着剤塗布装置１２が配置される。この接着剤塗布装置１２により導電性又は非導電性の接着剤がアンテナ１の端部１ａ，１ｂに塗布される。これにより、インターポーザー２の導電性シート５，５がアンテナ１の端部１ａ，１ｂに強固に接着される。接着剤が非導電性の場合であっても上記かしめローラ１０ａによるかしめによりインターポーザー２の導電性シート５，５が接着剤を貫通するので、導電性シート５，５はアンテナ１の端部１ａ，１ｂに電気的に導通する。
【００４５】
なお、上記接着剤はアンテナ１を担持する連続状基材１１への塗布に限られるものではなく、インターポーザー２側に塗布することも可能である。
【００４６】
次に、上記取付装置によりインターポーザー２をアンテナ１に取り付ける方法について説明する。
【００４７】
（１）図４に示すように、半完成状態のインターポーザーを所定ピッチで担持した連続状基材６の繰り出しロール６ｂと、アンテナ１を所定ピッチで担持した連続状基材１１の繰り出しロール１１ａとを取付装置内に装着する。
【００４８】
（２）インターポーザー２の連続状基材６の繰り出しロール６ｂから連続状基材６を繰り出し、打ち抜き機７、ダンサーローラ８、ガイドローラ９、付着機１０をそれぞれ経由させて巻き取りロール６ｃに巻き付ける。
【００４９】
また、アンテナ１の連続状基材１１の繰り出しロール１１ａから連続状基材１１を繰り出してインターポーザー２の連続状基材６の下方を通し、連続状基材６と重ね合わせて付着機１０のかしめローラ１０ａと加圧ローラ１０ｂとの間を通した後、巻き取りロール１１ｂに巻き付ける。
【００５０】
（３）両巻き取りロール６ｃ，１１ｂを矢印方向に駆動し、両連続状基材６，１１を同じ速度Ｖで搬送させる。
【００５１】
（４）インターポーザー２の連続状基材６が繰り出しロール６ｂから繰り出され、その搬送路を速度Ｖで走行し、打ち抜き機７において一時停止し、打ち抜き刃７ａと受け台７ｂとでプレスされる。これにより、連続状基材６上に短冊状の導電性シート５，５がつなぎ部を一部残すように所定のピッチで形成される。このピッチはアンテナ１のピッチと同一である。
【００５２】
また、アンテナ１の連続状基材１１が繰り出しロール１１ａから繰り出され、その搬送路を速度Ｖで走行しつつ、接着剤塗布装置１２によりアンテナ１の端部１ａ，１ｂに接着剤が塗布される。
【００５３】
（５）インターポーザー２の連続状基材６とアンテナ１の連続状基材１１とが付着機１０に至り、両連続状基材６，１１がかしめローラ１０ａと加圧ローラ１０ｂとの間を通過する。
【００５４】
これにより、インターポーザー２の導電性シート５，５がアンテナ１の端部１ａ，１ｂと重畳状態でエンボス加工される。両ローラ１０ａ，１０ｂ間での加圧により、両連続状基材６，１１が嵌合し、導電性シート５，５の導電層がアンテナ１の端部１ａ，１ｂである導電層に接触し、インターポーザー２がアンテナ１に電気的に導通する。
【００５５】
また、接着剤塗布装置１２により塗布された接着剤により、インターポーザー２の導電性シート５，５がアンテナ１の端部１ａ，１ｂに強固に接着される。
【００５６】
（６）この付着機１０を通過した一方の連続状基材６はインターポーザー２が除去された状態で巻き取りロール６ｃとして巻き取られる。
【００５７】
また、付着機１０を通過した他方の連続状基材１１はアンテナ１上にインターポーザー２を受け取った状態で巻き取りロール１１ｂとして巻き取られる。この巻き取りロール１１ｂはその後図１に示すようにアンテナ１ごとに分断される。
【００５８】
＜実施の形態２＞
図５及び図６に示すように、この実施の形態２では、インターポーザー２の連続状基材６とアンテナ１の連続状基材１１とにおいて、インターポーザー２とアンテナ１は互いに異なるピッチｐ，Ｐで形成される。インターポーザー２のピッチｐに対しアンテナ１のピッチＰは整数倍（Ｐ＝ｎｐ）の関係にある。この実施の形態２の取付装置において、インターポーザー２の連続状基材６を一条使用するものとすると、アンテナ１の連続状基材１１はｎ条使用される。図６はｎ＝３として描かれており、従ってインターポーザー２の連続状基材６が一条であるのに対しアンテナ１の連続状基材１１が三条使用される。
【００５９】
図５に示す取付装置において、小ピッチｐであるインターポーザー２の連続状基材６は図示しない繰り出しロールから繰り出され、所定の搬送路を通って図示しない巻き取りローラーに巻き取られるようになっている。この搬送路上には上流側から下流側に向かって、打ち抜き機７、複数基の付着機１０等が順に設置される。
【００６０】
打ち抜き機７は実施の形態１におけるものと同様の構造を有するもので、インターポーザー２の連続状基材６にインターポーザー２を所定のピッチｐで形成する。打ち抜き機７は図示例では打ち抜き刃７ａが上下に往復動する平台式になっているが、打ち抜き刃７ａをシリンダの回りに形成し、受け台７ｂもシリンダとして形成し、両シリンダ間に連続状基材６を通して打ち抜きを行うロータリー式とすることも可能である。
【００６１】
各付着機１０は実施の形態１におけるものと同様に、かしめローラ１０ａと加圧ローラ１０ｂとを具備し、両ローラ１０ａ，１０ｂ間をインターポーザー２の連続状基材６とアンテナ１の連続状基材１１とが重なった状態で通過するようになっている。各付着機１０の加圧ローラ１０ｂはかしめローラ１０ａに対し軸に垂直な方向に往復移動可能である。付着機１０は上記整数ｎと同数の箇所に配置され、図５の例では三箇所に配置される。そして、アンテナ１の連続状基材１１がそれぞれ走行する三つの搬送路が各付着機１０を経由するように設けられる。アンテナ１の三条の連続状基材１１はそれぞれ繰り出しロール１１ａから繰り出されて付着機１０を通った後巻き取りロール１１ｂに巻き取られるようになっている。
【００６２】
次に、この取付装置の作用について説明する。
【００６３】
図５に示す取付装置において、インターポーザー２の連続状基材６はその搬送路上を間欠走行し、停止する都度打ち抜き機７によりインターポーザー２が連続状基材６上に成形される。
【００６４】
この連続状基材６はインターポーザー２をピッチｐで担持した状態で第一の付着機１０に至り、そのかしめローラ１０ａと加圧ローラ１０ｂとの間をアンテナ１の第一の連続状基材１１と重なった状態で速度Ｖで通過する。この時、加圧ローラ１０ｂが軸に垂直にかしめローラ１０ａへと移動しインターポーザー２を第一の連続状基材１１のアンテナ１に押圧する。これにより、アンテナ１にインターポーザー２が付着し転移する。その後、加圧ローラ１０ｂがかしめローラ１０ａから離反し、アンテナ１の第一の連続状基材１１が巻き取りロール１１ｂにピッチＰの長さ分だけ巻き取られる。
【００６５】
第一の付着機１０を通過したインターポーザー２の連続状基材６は第二の付着機１０に至り、そのかしめローラ１０ａと加圧ローラ１０ｂとの間をアンテナ１の第二の連続状基材１１と重なった状態で速度Ｖで通過する。この時、加圧ローラ１０ｂが軸に垂直にかしめローラ１０ａへと移動しインターポーザー２を第二の連続状基材１１のアンテナ１に押圧する。これにより、アンテナ１にインターポーザー２が付着し転移する。その後、加圧ローラ１０ｂがかしめローラ１０ａから離反し、アンテナ１の第二の連続状基材１１が巻き取りロール１１ｂに１ピッチＰ分だけ巻き取られる。
【００６６】
第二の付着機１０を通過したインターポーザー２の連続状基材６は第三の付着機１０に至り、そのかしめローラ１０ａと加圧ローラ１０ｂとの間をアンテナ１の第三の連続状基材１１と重なった状態で速度Ｖで通過する。この時、加圧ローラ１０ｂが軸に垂直にかしめローラ１０ａへと移動しインターポーザー２を第三の連続状基材１１のアンテナ１に押圧する。これにより、アンテナ１にインターポーザー２が付着し転移する。その後、加圧ローラ１０ｂがかしめローラ１０ａから離反し、アンテナ１の第三の連続状基材１１が巻き取りロール１１ｂに１ピッチＰ分だけ巻き取られる。
【００６７】
上記動作が繰り返されることにより、連続状基材６の全インターポーザー２が第一〜第三の連続状基材１１の各々に転移する。
【００６８】
＜実施の形態３＞
図７に示すように、この取付装置においてインターポーザー２を取り付けようとするアンテナ１は連続状基材１１の表面に所定のピッチで多数形成される。この連続状基材１１はロール状に巻き取った繰り出しロール１１ａとして取付装置内に装着され、所定の搬送路を通って巻き取りロール１１ｂとして巻き取られる。巻き取りロール１１ｂは図示しないモータにより矢印方向に駆動され、これにより連続状基材１１が繰り出しロール１１ａから巻き取りロール１１ｂへと速度Ｖで搬送する。図７及び図８に示すように、各アンテナ１はインターポーザー２の導電性シート５，５を接続するための端部１ａ，１ｂを導線部１ｃを挟んだ箇所に備えている。
【００６９】
インターポーザー２は、図８に示すように、ＩＣチップ４の両側の電極４ａ，４ｂに短冊状のフレキシブルな導電性シート５，５をそれぞれ電気的に接続してなるもので、図３に示した形態で連続状基材１３に上記アンテナ１と同じピッチで多数接着される。連続状基材１３はフィルム、紙等の非導電材で形成される。このインターポーザー２を担持した連続状基材１３はロール状に巻き取られた繰り出しロール１３ａとして取付装置内に装着される。連続状基材１３は繰り出しロール１３ａから繰り出され、所定の搬送路を通ってアンテナ１の連続状基材１１の搬送路に合流する。
【００７０】
インターポーザー２を担持した連続状基材１３の搬送路上には導電性接着剤を連続状基材に塗布するための糊付けローラ１４が配置される。糊付けローラ１４に代えて接着剤を噴射するノズル等を設けることも可能である。後述するように両連続状基材１３，１１が重ね合わされると、この導電性接着剤によりインターポーザー２の導電性シート５，５がアンテナ１の端部１ａ，１ｂに接合される。接着剤は粘着剤層として予めインターポーザー２の連続状基材１３の表面に塗布しておき、糊付けローラ１４等を省略することも可能である。その場合は、インターポーザー２を担持する連続状基材１３の裏面に剥離処理が施される。
【００７１】
図７に示すように、両連続状基材１３，１１の搬送路が合流する箇所にはニップローラ１５が配置され、両連続状基材１３，１１は同じ速度Ｖでニップローラ１５間に引き込まれつつ押圧される。これにより、インターポーザー２の導電性シート５，５がアンテナ１の端部１ａ，１ｂに接合される。アンテナ１及びインターポーザー２は上下から連続状基材１３，１１により覆われ保護された状態で巻き取りロール１１ｂとして巻き取られる。
【００７２】
図７及び図８に示すように、アンテナ１の導線部１ｃとインターポーザー２との間には両者を電気的に絶縁するため、絶縁基材１６が挿入される。この絶縁基材１６の供給手段として絶縁基材１６を巻き取った繰り出しロール１６ａが上記両連続状基材１３，１１の繰り出しロール１３ａ，１１ａ間に配置される。絶縁基材１６は図７に示すごとく上記両連続状基材１３，１１の走行と共に両者間に引き込まれ、図８に示すごとくアンテナ１の導線部１ｃとインターポーザー２との間に挿入される。
【００７３】
次に、この取付装置の作用について説明する。
【００７４】
図７に示す取付装置において、インターポーザー２を担持する連続状基材１３がその搬送路上を速度Ｖで連続走行する。インターポーザー２は連続状基材１３に所定ピッチＰで貼着されている。この連続状基材１３はＩＣチップ４がアンテナ１の連続状基材１１側を向くように搬送され、そのＩＣチップ４側の表面には糊付けローラ１４により導電性接着剤が塗布される。
【００７５】
また、アンテナ１が所定ピッチＰで形成された連続状基材１１がその搬送路上を速度Ｖで連続走行し、絶縁基材１６が繰り出しロール１６ａから繰り出されつつこの連続状基材１１とインターポーザー２の連続状基材１３との間に挟み込まれる。
【００７６】
インターポーザー２を担持する連続状基材１３はダンサーローラ８により巻き取りロール１３ａとニップローラ１５との間の長さを調整されつつニップローラ１５に至り、これによりインターポーザー２の導電性シート５，５がアンテナ１の端部１ａ，１ｂにタイミング良く見当合わせされる。
【００７７】
上記二条の連続状基材１３，１１と絶縁基材１６とがニップローラ１５間を押圧されながら通過し、重畳した状態のまま巻き取りロール１１ｂに巻き取られる。ニップローラ１５の押圧作用により、アンテナ１の端部１ａ，１ｂがインターポーザー２の導電性シート５，５に接着される。アンテナ１の端部１ａ，１ｂとインターポーザー２の導電性シート５，５との接着は糊付けローラ１４により塗布された導電性接着剤により行われるので、アンテナ１にインターポーザー２が付着すると同時に両者間が電気的に導通する。
【００７８】
巻き取られた連続状基材１３，１１の重畳体の巻き取りロール１１ｂは、その後アンテナ１ごとに分断される。このアンテナ１とその上のインターポーザー２とはそれらの両面から基材１３，１１により挟まれた状態で保護されることになる。
【００７９】
＜実施の形態４＞
図９に示すように、この実施の形態４は実施の形態３と異なり、糊付けローラ１４が省略され、ニップローラ１５に代えて実施の形態１の場合と同様なかしめローラ１０ａと加圧ローラ１０ｂとを備える。
【００８０】
二条の連続状基材１３，１１と絶縁基材１６とが、かしめローラ１０ａと加圧ローラ１０ｂとの間を押圧されながら通過する際、インターポーザー２の導電性シート５，５がアンテナ１の端部１ａ，１ｂと共にエンボス加工され、両基材１３，１１が嵌合し連結されると同時に、導電性シート５，５の導電層がアンテナ１の端部１ａ，１ｂである導電層に接触し、インターポーザー２がアンテナ１に電気的に導通する。
【００８１】
なお、上記実施の形態１〜４ではインターポーザー及びアンテナを単列で供給するものとして説明したが、複数列で供給することにより同時に複数個のアンテナにインターポーザーを供給することもできる。被搭載体もアンテナ以外の他の非接触型データキャリア部材や、カード等の製品とすることができる。被搭載体を連続状基材に代えてベルトコンベア等の搬送装置により一定ピッチで搬送することも可能である。
【００８２】
また、上記実施の形態１では連続状基材におけるＩＣチップの取り付けられた面と反対側の面がアンテナに対向するようになっているが、ＩＣチップの取り付けられた面をアンテナに対向させることも可能であり、上記実施の形態２では連続状基材におけるＩＣチップの取り付けられた面がアンテナに対向するようになっているが、ＩＣチップの取り付けられた面と反対側の面をアンテナに対向させることも可能である。その場合はアンテナの端部以外の箇所がインターポーザーにおける導電性シートの導電層に接触しないように例えば非導電性塗料等が所定箇所に予め塗布される。
【図面の簡単な説明】
【００８３】
【図１】本発明に係る取付方法及び装置によりインターポーザーを取り付けられたアンテナの斜視図である。
【図２】アンテナの概略を示す斜視図である。
【図３】インターポーザーの概略を示す斜視図である。
【図４】本発明の実施の形態１に係る取付装置の概略を示す斜視図である。
【図５】本発明の実施の形態２に係る取付装置の概略を示す斜視図である。
【図６】実施の形態２で使用する連続状基材の展開平面図である。
【図７】本発明の実施の形態３に係る取付装置の概略を示す斜視図である。
【図８】図７中、ＶＩＩＩ−ＶＩＩＩ線矢視断面図である。
【図９】本発明の実施の形態４に係る取付装置の概略を示す斜視図である。
【符号の説明】
【００８４】
１…アンテナ
２…インターポーザー
６，１３，１１…連続状基材
１０…付着機
１５…ニップローラ
１６…絶縁基材
１６ａ…繰り出しロール
【図１】
2006039659.tif 000003
【図２】
2006039659.tif 000004
【図３】
2006039659.tif 000005
【図４】
2006039659.tif 000006
【図５】
2006039659.tif 000007
【図６】
2006039659.tif 000008
【図７】
2006039659.tif 000009
【図８】
2006039659.tif 000010
【図９】
2006039659.tif 000011
【手続補正書】
【提出日】平成16年8月30日(2004.8.30)
【手続補正１】
【補正対象書類名】特許請求の範囲
【補正対象項目名】全文
【補正方法】変更
【補正の内容】
【特許請求の範囲】
【請求項１】
所定ピッチで並んだ非接触データキャリア部材を搬送路上で搬送し、所定ピッチで並んだ被搭載体を上記非接触データキャリア部材とタイミングが合うように他の搬送路上で搬送し、前者の搬送路上の非接触データキャリア部材を後者の搬送路上の被搭載体に付着させると同時に電気的に導通させることを特徴とする非接触データキャリア部材取付方法。
【請求項２】
請求項１に記載の非接触データキャリア部材取付方法において、非接触データキャリア部材と被搭載体とを相互に同一のピッチで搬送することを特徴とする非接触データキャリア部材取付方法。
【請求項３】
請求項１に記載の非接触データキャリア部材取付方法において、非接触データキャリア部材と被搭載体とを一方のピッチが他方のピッチの整数倍となる関係で搬送し、小ピッチ用の搬送路に沿って大ピッチ用の搬送路を上記整数と同数個配置し、全搬送路において非接触データキャリア部材と被搭載体をそれぞれ同速度で搬送することを特徴とする非接触データキャリア部材取付方法。
【請求項４】
請求項１乃至請求項３のいずれかに記載の非接触データキャリア部材取付方法において、非接触データキャリア部材と被搭載体がそれぞれ所定ピッチで形成された連続状基材を各搬送路で搬送することを特徴とする非接触データキャリア部材取付方法。
【請求項５】
請求項１乃至請求項４のいずれかに記載の非接触データキャリア部材取付方法において、非接触データキャリア部材と被搭載体との間に絶縁基材を供給することを特徴とする非接触データキャリア部材取付方法。
【請求項６】
所定ピッチで並んだ非接触データキャリア部材を搬送する搬送手段と、所定ピッチで並んだ被搭載体を上記非接触データキャリア部材とタイミングが合うように搬送する他の搬送手段と、前者の搬送手段における非接触データキャリア部材を後者の搬送手段における被搭載体に付着させると同時に非接触データキャリア部材を被搭載体に電気的に導通させる付着手段とを具備したことを特徴とする非接触データキャリア部材取付装置。
【請求項７】
請求項６に記載の非接触データキャリア部材取付装置において、互いに同一ピッチで並んだ非接触データキャリア部材と被搭載体を各搬送手段により同速度で搬送することを特徴とする非接触データキャリア部材取付装置。
【請求項８】
請求項６に記載の非接触データキャリア部材取付装置において、非接触データキャリア部材と被搭載体とを一方のピッチが他方のピッチの整数倍となる関係で搬送することとし、小ピッチの非接触データキャリア部材又は被搭載体の搬送路に沿って大ピッチの被搭載体又は非接触データキャリア部材の搬送手段を上記整数と同数個配置し、全搬送手段において非接触データキャリア部材と被搭載体をそれぞれ同速度で搬送するようにしたことを特徴とする非接触データキャリア部材取付装置。
【請求項９】
請求項６乃至請求項８のいずれかに記載の非接触データキャリア部材取付装置において、非接触データキャリア部材と被搭載体がそれぞれ所定ピッチで形成された連続状基材を各搬送手段により搬送することを特徴とする非接触データキャリア部材取付装置。
【請求項１０】
請求項６乃至請求項９のいずれかに記載の非接触データキャリア部材取付装置において、非接触データキャリア部材と被搭載体との間に絶縁基材を挿入する絶縁基材供給手段を備えたことを特徴とする非接触データキャリア部材取付装置。
【請求項１１】
非接触データキャリア部材が所定ピッチで形成された一方の連続状基材と被搭載体が所定ピッチで形成された他方の連続状基材との間に連続状の絶縁基材が挿入され、重畳された状態で巻き取られたことを特徴とする巻き取りロール。
【請求項１２】
非接触データキャリア部材と被搭載体とが両者間に絶縁基材が挿入された状態で重畳されたことを特徴とする重畳体。
【手続補正２】
【補正対象書類名】明細書
【補正対象項目名】００１９
【補正方法】変更
【補正の内容】
【００１９】
また、請求項１０に係る発明は、請求項６乃至請求項９のいずれかに記載の非接触データキャリア部材取付装置において、非接触データキャリア部材（２）と被搭載体（１）との間に絶縁基材（１６）を挿入する絶縁基材供給手段（１６ａ）を備えた非接触データキャリア部材取付装置を採用する。
また、請求項１１に係る発明は、非接触データキャリア部材（２）が所定ピッチで形成された一方の連続状基材（１３）と被搭載体（１）が所定ピッチで形成された他方の連続状基材（１１）との間に連続状の絶縁基材（１６）が挿入され、重畳された状態で巻き取られた巻き取りロール（１１ｂ）を採用する。
また、請求項１２に係る発明は、非接触データキャリア部材（２）と被搭載体（１）とが両者間に絶縁基材（１６）が挿入された状態で重畳された重畳体を採用する。